(57)【要約】ゴルフゲームのスコアを記録するとき、プレーヤーは、電子装置によって読み取り可能な座標を備える、位置コード化用紙の上に印刷されたコースガイドを装備する。プレーヤーは、各ストローク後の彼のボール位置を用紙の上に記入することによって、彼が行った各ストロークをコースガイド上に示し／記録する。ゲーム完了の後、電子装置によって登録されたゴルフゲームに関するデータはコンピュータで処理され、プレーヤーの好むフォーマットで出力される。また、プレーヤーは、各ストロークで彼が使用したクラブを、位置コード化用紙の上に印刷されたコースガイドに別の入力として示すことができる。これによって、彼はゴルフゲームの完了後に興味ある統計を受け取ることができる。
2005528170.tif 000002
【特許請求の範囲】
【請求項１】
ゴルフゲームに関するデータを記録し表示するシステムであって、
位置コード化用紙上に印刷されたゴルフコースのレイアウトと、及び前記位置コード化用紙上に位置を記入し記録するための付属の電子装置とを含むデータ記録手段と、
前記データ記録手段によって記録されたデータを処理するための、データ記録手段に接続可能な中央コンピュータのサーバーと、
中央コンピュータのサーバーからの出力データを表示するための、中央コンピュータのサーバーに接続可能なディスプレイユニットとを含むシステム。
【請求項２】
前記中央コンピュータのサーバーが、中央コンピュータのサーバーによってサポートされた、各コースの各ホールに関する像情報を保存するデータベースを伴う請求項１に記載のシステム。
【請求項３】
ゴルフコースのレイアウトをその上に印刷して有する位置コード化用紙が、各ストロークに使用されたクラブを記入するための領域をさらに含む請求項１又は２のいずれか一項に記載のシステム。
【請求項４】
コースレイアウトをその上に印刷して有する位置コード化用紙上に、データが記録される付属の電子装置を使用して記入するステップを含む、ゴルフゲームに関するデータを記録する方法。
【請求項５】
前記電子装置からの情報を、記録されたデータが処理される中央コンピュータのサーバーに伝送するステップをさらに含む請求項４に記載の方法。
【請求項６】
中央コンピュータで処理されたデータを、ユーザーの設定可能なフォーマットで表示するステップをさらに含む請求項５に記載の方法。
【請求項７】
記録されたデータを処理するステップが、各ゴルフショットの距離を求めるため、及びボールが位置しているゴルフコースの部分、例えばフェアウェイ上の部分を求めるために、位置コード化用紙上に記録された座標とデータベースに保存された像とを比較する請求項５又は６のいずれか一項に記載の方法。
【請求項８】
前記記録されたデータが、グリーンの外側からプレーされた各ストローク後のボールの位置及び／又はグリーンの外側からプレーされた各ストロークに使用されたクラブを含む請求項４から７のいずれか一項に記載の方法。
【請求項９】
ゴルフコースのレイアウトをその上に印刷して有する位置コード化用紙であって、前記位置コードが、電子装置によって読み取り可能に設計されたパターンを形成する用紙。
【請求項１０】
コースの各ホールが小冊子のページに印刷される請求項９に記載の用紙。
【請求項１１】
前記コード化するパターンが、ゴルフコースの各ホールで唯一である請求項９又は１０に記載の用紙。
【請求項１２】
ホールをその上に印刷した各ページが、異なるゴルフクラブの番手数を表す枠をさらに含む請求項９から１１のいずれか一項に記載の用紙。
【請求項１３】
ホールをその上に印刷した各ページが、その特定ホールのショット数を表す枠をさらに含む請求項９から１２のいずれか一項に記載の用紙。
【請求項１４】
ホールをその上に印刷した各ページが、記録された最新の入力を変更する枠をさらに含む請求項９から１３のいずれか一項に記載の用紙。
【請求項１５】
ホールをその上に印刷した各ページが、その特定のホールのパット数を表す枠をさらに含む請求項９から１４のいずれか一項に記載の用紙。
【請求項１６】
ホールをその上に印刷した各ページが、他のプレーヤーのスコアを電子的に記入する枠をさらに含む請求項９から１４のいずれか一項に記載の用紙。
【請求項１７】
完全なゴルフコースのレイアウトをその上に印刷して有する多数の位置コード化ページを含む小冊子であって、前記位置コードが、電子装置によって読み取り可能に設計されたパターンを形成する小冊子。
【請求項１８】
前記コード化パターンが、前記ゴルフコースを唯一識別する請求項１７に記載の小冊子。
【請求項１９】
前記ゴルフコースを唯一識別する、ファイルされた個別のコードパターンをさらに含む請求項１７に記載の小冊子。
【請求項２０】
遠隔アクセス可能であり、ゴルフゲームに関するデータを処理するように設計されたコンピュータサーバーであって、前記サーバーが、
位置コード化用紙を使用してデータを記録する電子装置を用いて、電子的に記録されたゴルフデータを受け取る手段をさらに含むサーバー。
【請求項２１】
前記遠隔アクセスがインターネットアクセスである請求項２０に記載のコンピュータサーバー。
【請求項２２】
メモリーをさらに含み、前記メモリーがゴルフデータを保存するためのデータベースを形成する請求項２０又は２１に記載のコンピュータサーバー。
【発明の詳細な説明】
【技術分野】
【０００１】
本発明は、ゴルフ用装置に関し、詳細にはゴルフゲームに関するスコア及びその他のデータを保存する装置に関する。また、本発明は、装置に伴って使用するための方法及びシステムにも関する。さらに、本発明は、それらの装置によって記録されたデータを処理し示す方法及びシステムに関する。
【背景技術】
【０００２】
ゴルフゲームの間、各プレーヤーは通常、彼／彼女のスコアを保存する必要がある。それによってスコアが記録される方法は様々であり得るが、今日、最も主要な方法は紙とペンによるものである。しかし、他の方法が存在する。例えば、米国特許出願第５，２８３，７３３号は、コース上の全てのプレーヤーのリアルタイムのスコアを何時でも表示することのできる、相互接続された一連のディスプレイ端末を含んで、ゴルフコースの全てのホールに展延するコンピュータネットワークについて記載している。また、端末はスコアのハードコピーを作製するためのプリンターを備えることもできる。端末は、各プレーヤーによって帯同されるプレーヤーの携帯式ユニットのトランシーバーと二方向無線通信するためのトランシーバーをさらに備える。
【０００３】
ゴルフゲームのスコアを記録するための他の携帯式コンピュータ装置は、米国特許第４，９１０，６７７号、米国特許第５，１２７，０４４号、米国特許第５，０９５，４３０号に記載されている。しかし、携帯式コンピュータ装置は多くの欠点を伴う。第１に、また主要なことは、それらが非常に高価なことである。さらに、それらは電子ディスプレイを有し、装置の持ち運びが煩わしく、また電子ディスプレイが水に敏感なので、それらの装置を雨の中で使用するのは不適切である。また、スクリーンを鋭い日光の中で見るのは通常困難である。
【０００４】
手動（紙とペン）及びコンピュータ化スコア記録装置の両方の補助として、大部分のゴルフコースはコースガイドを有する。コースガイドは、ゴルフコースの各ホールの詳細図であり、通常、プレーヤーに異なる場所の間の距離、特にコースのグリーンまでの距離に関する広範囲の情報を与える。他の有用な情報をコースガイドに印刷することもできる。コースガイドは小冊子として印刷され、小冊子の各ページに１個のホールを描くことができる。
【０００５】
さらに、米国特許第４，６６６，１５７号は冊子を開示しており、それによって、ゴルフプレーヤーは、ゴルフゲームに関するデータをゴルフホールのレイアウト図の上に記入することが可能である。集められたデータは、後でコンピュータに移動し、その中に記憶することができる。しかし、冊子からコンピュータへの移動を行う手段は示されておらず、また、米国特許第４，６６６，１５７号は、ゴルフのゲームをデジタルで記録し評価するときに、使用の容易な入力と出力のインターフェースを装置のユーザーに提供していない。
【特許文献１】米国特許出願第５，２８３，７３３号
【特許文献２】米国特許第４，９１０，６７７号
【特許文献３】米国特許第５，１２７，０４４号
【特許文献４】米国特許第５，０９５，４３０号
【特許文献５】米国特許第４，６６６，１５７号
【発明の開示】
【発明が解決しようとする課題】
【０００６】
本発明の目的は、上記の欠点がなく、持ち運びと使用が容易であり、コンピュータ装置に比べて安価であり、天候に敏感でなく、堅牢な設計を有する、ゴルフのスコアを記録する装置を提供することである。
【０００７】
本発明の追加の目的は、コンピュータシステムと密接に連携して動作するように設計され、簡単なアクセスでゴルフゲームのスコア記録の興味深い統計をプレーヤーに提供することのできる装置を提供することである。また、本発明は１回又は数回のゴルフゲームに関するデータを電気的に記録し表示する方法にも展開される。
【課題を解決するための手段】
【０００８】
これらの目的及び他の目的は、付属の請求項に記載されたように本発明によって達成される。したがって、ゴルフゲームのスコアを記録するプレーヤーは、電子装置によって読み取り可能な座標を備える、位置コード化用紙の上に印刷されたコースガイドを装備する。プレーヤーは、各ストローク後の彼のボールの位置を、それらの位置コード化パターンを有する用紙の上に電子装置を使用して記入することによって、彼が行った各ストロークをコースガイド上に示し／記入する。ゲーム完了の後、電子装置によって登録されたゴルフゲームに関するデータはコンピュータで処理され、プレーヤーの好むフォーマットで出力される。
【０００９】
好ましい実施形態では、プレーヤーは、位置コード化用紙に印刷されたコースガイドに、彼が各ストロークに使用するクラブを別の入力として示すこともできる。これによって、彼は、ゴルフゲームの完了後、適切なコンピュータ処理の後に興味のある統計を受け取ることができる。
【００１０】
本発明の他の好ましい実施形態によれば、電子的に記録されたデータは、ウェブサーバーに登録されたユーザーによって遠隔アクセス可能なウェブサーバーに保存され、ウェブサーバーに保存され処理された、容易にアクセス可能なゴルフゲームの統計が提供される。
【００１１】
ここで、付随する図面を参照しながら、本発明を非制限的な実施例としてより詳細に説明する。
【発明を実施するための最良の形態】
【００１２】
図１には、スコア及び関連する統計の計算と表示を含む、ゴルフゲームのコンピュータ化記録システムの全体図が示されている。システムは、電子的データ記録装置を含み、この場合、位置コード化用紙１０１上に印刷されたゴルフスコアカード／コースガイドと、印刷されたスコアカード／コースガイドと一緒に使用するための付属の電子装置１０３とを含む。電子装置及び位置コード化用紙は、例えばスエーデンのＡｎｏｔｏ  ＡＢによって開発された電子ペン及びその付属の用紙とすることができる。
【００１３】
電子装置によって記録されその中に保存されたデータは、適切な時に、インターネット又は他の何らかのネットワーク１０７に接続された、ローカルなコンピュータ端末１０５に移動することができる。ゴルフゲームの間に記録されたデータは、ゲームの完了後、伝送することが好ましいが、各ホールの完了後又は新しいデータが記録されるのとリアルタイムに、予め定めた時間に伝送することもできる。端末１０５は、ネットワーク１０７を経由して、集められたデータを処理するためのソフトウェアをロードした中央コンピュータのサーバー１０９にアクセスすることができる。好ましい実施形態では、サーバー１０９は、異なるゴルフコースに関する情報をロードしたデータベース１１１に接続される。中央コンピュータのサーバー１０９は、それ自体、登録されたユーザーによって遠隔アクセスするように設計されたウェブサーバーとすることもできる。
【００１４】
図２には、ゴルフコースのレイアウトをその上に印刷した位置コード化用紙１０１のページの図が示されている。ページは、中でも、異なるティー２０１からの距離、フェアウェイ２０３、水２０５、バンカー／サンドトラップ２０７、及びグリーン２０９を含むゴルフホールのレイアウトを示す。また、ページは、現在のクラブ選択２１１、そのホールのストローク総計２１３、ペナルティストローク２１５、パット数２１７、及び“ホール完了”２１９用枠の多数の枠を含み、これらは各ホールの完了後にデータを伝送することができることが好ましい。しかし、各ホールは、異なる位置コードを有する用紙の上に印刷され、それによって異なるホールを分離できることが好ましい。さらに、ページは、誤った記入がページになされた場合に、最新のストロークを変更するための枠を含むことができる。また、ボールドロッピング用の枠を提供することもできる。さらに他の好ましい実施形態では、ページは、特定のクラブの長さに関するデータを保存するために、通常のクラブ選択２１１に加えて、フルスイングよりも小さなピッチ／チップを示すための枠を含む。
【００１５】
好ましい実施形態では、ゴルフコースの全てのホールが小冊子に印刷される。次いで、小冊子は、ゴルフのゲームを開始するときに触れることのできる、各コースに特有の位置コード化領域を含むことが好ましい。それらのコードを提供することによって、同じ位置コードを別のゴルフコースごとに再使用することができ、これは有利である。さらに、それらの小冊子の各ページは、プレーヤーが同じホールをプレーしている他のプレーヤーのスコアを電子的に入力することのできる１個又は数個の枠を含むことができる。これは、例えば、プレーヤーがトーナメントをプレーしており、そのトーナメントにおける他のプレーヤーのスコアを記録するときに使用することができる。
【００１６】
電子装置はゴルフプレーヤーの各ストロークごとの入力を検知する。入力は枠２１１に示されているように、例えば枠の１個を触れることによって各ストロークごとのクラブ選択を含むことができる。ボールの現在の位置は、ゲームが進むにつれて、ゴルフのホールレイアウト上、例えばフェアウェイ上の位置及びグリーン上の位置に“Ｘ”又は“Ｏ”（以下を参照）で記入される。そのホールのスコア記録を完了する前に、プレーヤーは枠２１３、２１５、及び２１７に各カテゴリーで行われたストローク数を記入することが好ましいであろう。
【００１７】
ゴルフのゲームを完了した後、プレーヤーはラウンドの終了を示す枠に触れることが好ましい。
【００１８】
図３には、好ましい一実施形態に従って、ゴルフプレーヤーに恩恵を与えるために本明細書に記載されたスコア記録カードを使用することのできるフロー図が示されている。第１に、ステップ３０１で、プレーヤーがゴルフコースに到着すると、彼は登録する。次に、ステップ３０３で、彼は図２に関して上述した種類のスコアカード、すなわち、電子記録装置によって記録するように設計された、位置コード化用紙の上に印刷された小冊子フォーマットの完全なコースガイドを購入する。このコースガイドは使用したクラブ等の追加のストローク情報用領域（枠）を含むことが好ましい。
【００１９】
プレーヤーが、その上にスコアカードが印刷される特定の用紙と一緒に動作することのできる電子装置を所有していれば、彼はそれを使用することができる。例えば、プレーヤーが、特別の位置コード化用紙の上を動かすときに高速で写真を撮影する小さなデジタルカメラを装着し、かつ、位置コード化の上の異なる動きを保存する付属のメモリーを備えるプロセッサを有するデジタルペンを所有していれば、彼はそれを使用することができる。例えば、Ｓｏｎｙ  Ｅｒｉｃｓｓｏｎ  ＡＢ  Ｓｗｅｄｅｎ製のデジタルペンＣｈａｔｐｅｎ  ＣＨＡ−３０を所有することができる。その場合、ステップ３０５で、彼は後で使用するためにあるプレーヤーの特定のデータを登録することができる。例えば、彼は名前、正確なハンディキャップ等を登録することができる。
【００２０】
プレーヤーが適切な電子装置を持って来なければ、ステップ３０７で、彼はゴルフコースからそれを借りることができる。また、ステップ３０９で、彼は彼の名前、ハンディキャップ、ティー等を登録することが好ましい。次いで、ゴルフプレーヤーは、好ましい本実施形態において、彼がプレーしようとする特別のゴルフコースに固有の枠を触れることによってゴルフゲームの登録を開始する。次いで、ステップ３１１で、各ホール、及び各ストロークの後に、プレーヤーは、電子装置及び位置コード化スコアカード／コースガイドを用いて、彼のクラブ選択及びボールの位置を記入することが好ましい。
【００２１】
各ストロークの後に、プレーヤーは彼が使用したクラブ、例えばドライバーと、ボールの位置を示す。これは、プレーヤーの行う各ストロークについて繰り返される。プレーヤーは、例えば対応する場所に“Ｘ”又は“Ｏ”を記入することによって、ボールの位置を示すことができる。
【００２２】
プレーヤーがグリーンをとらえると、彼はステップ３１３でこのプロセスを中止し、ステップ３１５に続くことが好ましい。ステップ３１５において、彼はパッティングしてボールをホールの中に入れ、使用したパット数、そのホールの彼のスコア、及びペナルティストロークの数を示す。その上で、ステップ３１７で、彼は次のホールへ進み、手順のステップ３１１、３１３、３１５を繰り返す。
【００２３】
プレーした最後のホールがコースの最終ホールであれば、手順はステップ３１９に続く。ステップ３１９において、電子装置によって記録され保存されたデータは、例えばローカルコンピュータ及び固定ネットワークを経由して、又は携帯式装置を用いる携帯ネットワークを通して、中央コンピュータに伝送される。中央コンピュータのサーバーは、電子装置によって記録されたデータを受け取り、データを処理する。次いでステップ３２１で、中央コンピュータのサーバーは、適切な場所に適切なフォーマットで、例えばゴルフクラブに配置された付属のプリンターを備えるコンピュータに、携帯メッセージサービス、例えば、ＳＭＳ、ＭＭＳ、又は他の何らかのウェブサーバーを経由して、処理されたデータ例えばスコア及び関連の統計を戻す。
【００２４】
以下に、プレーヤーによって集められたデータ入力を処理するためのソフトウェアをロードした、中央コンピュータのサーバー１０９をより詳細に説明する。中央コンピュータのサーバーへ入力された、各プレーされたゴルフラウンドについて、サーバーはプレーヤーの名前、性（男性／女性）、正確なハンディキャップ、プレーしたコース、及び使用したティーに関する情報を受け取ることが好ましい。プレーヤーがゴルフゲームを記録する彼自身の電子装置を所有している場合、その装置は中央に登録することができ、最後の時から何らかのデータが変更されていないかぎり、コースだけを入力すればよい。例として、正確なハンディキャップが変更されていることがあり得る。
【００２５】
また、中央コンピュータのサーバーには、ゴルフコースの各特別のホールについて、現在のティーの位置に関する情報を供給されることが好ましい。ティーの情報は、例えば、ゴルフクラブの従業員によって入力することができる。
【００２６】
プレーヤーが彼のゲームを完了した時、彼は記録したデータを移動するであろう。データ伝送は多くの異なる方法で開始することができる。好ましい一実施形態では、ローカルコンピュータに近い時、プレーヤーは特別の枠に触れる。枠への接触は、電子装置にローカルコンピュータとのブルートゥース接続を確立するよう信号を出し、データを伝送する。次いで、ローカルコンピュータは中央コンピュータのサーバーへデータを送る。また、データは、ワイアレス接続を用いて、ゲーム中連続的に伝送することができる。伝送の他の方法も無論可能である。
【００２７】
次いで、ルックアップサーバーを経由して、データはゴルフラウンドの記録されたデータを受け取るプログラムに導かれることが好ましい。したがって、プログラムは、名前、プレーヤーの性、正確なハンディキャップ、ゴルフコースの識別、ティー、及び、各ホールについて、
各ストローク後のボールの座標（Ｘ、Ｙ）、
各ストロークに使用したクラブ、
もしあれば、ペナルティストロークの数、
パット数、
スコアの総計、
に関するデータを受け取るであろう。
【００２８】
異なる電子記録装置は、特別の記号に関して異なる情報保存方法を有することができる。以下では、電子装置を、いわゆるＰｅｎＳｔｒｏｋｅを用いて、“Ｘ”又は“Ｏ”などの記号を保存するＣｈａｔｐｅｎ  ＣＨＡ−３０であると仮定する。各ＰｅｎＳｔｒｏｋｅは多くのＸとＹの座標、及び付属するカラーコードをもたらす。ここで説明する実施形態では、カラーはプレーヤーによって選択されたクラブを表す。
【００２９】
Ｘ、Ｙ座標は、用紙に対して装置を配置し、押し下げ、次いで持ち上げた、位置コード化用紙上の場所を示す。したがって、“Ｘ”は、２回のペンストロークになり、“Ｏ”は１回のペンストロークになる。“Ｘ”が示されると、プログラムは２回のペンストローク間の交差点を見つけ、この座標はボールの位置を表すであろう。“Ｏ”が示されると、プログラムは円の中心を計算し、この座標はボールの位置を表すであろう。
【００３０】
次に、プログラムは得られたＸとＹの座標をデータベースに保存された像の座標に変換する。以下を参照されたい。この情報及びスコアボード上に表された全面積の情報を用いて、２対のＸ、Ｙ座標間の差を、例えばメートル又はヤードに変換することができる。位置コード化用紙の解像度が、データベースに保存されたピクセルで表される像よりも高ければ、ペンで与えられた１個以上の座標がデータベース像の同じピクセルに相当するであろう。
【００３１】
データベース１１１には、中央コンピュータのサーバーによってサポートされている全てのゴルフコースの全てのホールの像が保存され、このデータベースは以下の構造を有することが好ましい。全てのホールのＸ及びＹ座標はファイルから読み取られる。ピクセルベースの像フォーマット、例えば、ＢＭＰ、ＧＩＦ等が使用されることが好ましい。コースの各部分（フェアウェイ、バンカー、グリーン、水、樹木等）は、像ファイル中の固有のカラーコードが与えられる。また、像ファイルは各ホールのそれぞれのティー位置に関する情報も含むであろう。像ファイルの情報はデータベース中に保存される。好ましい実施形態では、異なるカラーの隣接するピクセルを有するピクセルだけが保存される。この方法で、データベース中のデータを大きく低減することができる。
【００３２】
ＲＧＢ（赤、緑、青）カラーコードでは、以下のコードをコースの異なる部分に使用することができる。
【００３３】
グリーン＝（０、２５５、０）
水＝（０、０、２５５）
フェアウェイ＝（０、１２８、０）
バンカー＝（１２８、１２８、０）
境界外（ＯＢ）（１９２、１９２、１９２）等
中央コンピュータのサーバー１０９が、データベース１１１中に保存された像ファイルのピクセル座標中にボールの位置を計算すると、コンピュータのプログラムはコースのどの部分（フェアウェイ、バンカー等）にボールが記入されたかを求めることができる。
【００３４】
同じゲームをプレーする全てのプレーヤー、又は多くのゴルフラウンドを記録するプレーヤーについての全てのデータを処理した後、中央コンピュータのサーバーはゲームに関する多量の統計を出力することができる。この統計及びデータは、
平均飛距離（全て、コースごと、プレーヤーごと）
最長飛距離（全て、コースごと、プレーヤーごと）
パット数（プレーヤーごと、ホールごと、コースごと）
フェアウェイキープ数（プレーヤーごと、ホールごと、コースごと）
使用したクラブの頻度に関する統計
グリーンをとらえたストローク数（プレーヤーごと、ホールごと、コースごと）
水及びバンカーに入った数（ホールごと、コースごと）
平均スコア（コースごと、ホールごと）
正確なハンディキャップからの平均偏差
スコア
を含む。
【００３５】
中央コンピュータのサーバーは、好ましい一実施形態によれば、インターネットを経由してアクセス可能なウェブサーバーである。ウェブサーバーは、本明細書に述べたようにして記録されたゴルフのデータを保存し、ウェブサーバーに接続された登録ユーザーに示すことができる。このようにして、ゴルフプレーヤーはウェブサーバーによって提供される長期間にわたる統計などの追加のサービスを申し込むことができる。
【産業上の利用可能性】
【００３６】
本明細書に述べた装置システム及び方法を用いて、ゴルフゲームに関する興味深い統計を、コスト効率が良く使用の容易な方法で記録し示すことができる。
【図面の簡単な説明】
【００３７】
【図１】スコア及び関連する統計の計算と表示を含む、コンピュータ化したゴルフゲームのスコアを記録するためのシステムを示す全体図である。
【図２】電子装置と一緒に使用するための位置コード化用紙上に印刷された、ゴルフコースガイドのページの図である。
【図３】図１に描かれたシステムを使用するときに行われる、異なるステップを示すフロー図である。
【図１】
2005528170.tif 000003
【図２】
2005528170.tif 000004
【図３】
2005528170.tif 000005
【国際調査報告】
2005528170.tif 000006
2005528170.tif 000007
2005528170.tif 000008
2005528170.tif 000009